(57)【要約】      （修正有）【課題】アクセル急加速操作時の加速遅れを防止することができるエンジンの燃料供給装置を提供する。【解決手段】実アクセル開度ＭＡのなまし値ＭＡ´または実アクセル開度ＭＡそのままの値ＭＡと、回転数センサで検出された実回転数ＡＮとに基づいて、制御装置により指示燃料供給量ＩＱが演算Ｓ７され、この指示燃料供給量ＩＱに基づいて、制御装置により燃料供給装置から燃焼室に燃料が供給されるように構成された、エンジンの燃料供給装置において、アクセル急加速操作１９時に、実回転数ＡＮと実アクセル開度ＭＡとに対応して予め定められた指示燃料噴射量ＩＱの演算マップまたは演算式に基づいて、制御装置により、実回転数ＡＮと指示燃料噴射量ＩＱから演算アクセル開度ＢＡが逆算Ｓ４３され、実アクセル開度ＭＡが演算アクセル開度ＢＡ以下の場合には、実アクセル開度ＭＡのなまし処理が不実施Ｓ６とされる。【選択図】図３
2015200245.tif 000002
【特許請求の範囲】
【請求項１】
回転数センサ(１)と、アクセル開度センサ(２)と、なまし処理装置(３)と、燃料供給装置(４)と、制御装置(５)とを備え、
アクセル開度センサ(２)で検出された実アクセル開度ＭＡの変化率ΔＭＡが制御装置(５)で演算(Ｓ３)され、この変化率ΔＭＡの値に応じて、制御装置(５)により実アクセル開度ＭＡの変化率ΔＭＡを小さくする、実アクセル開度ＭＡのなまし処理が実施(Ｓ５)されるとともに、実アクセル開度ＭＡのなまし処理が不実施(Ｓ６)とされ、
実アクセル開度ＭＡのなまし値ＭＡ´または実アクセル開度ＭＡそのままの値ＭＡと、回転数センサ(１)で検出された実回転数ＡＮとに基づいて、制御装置(５)により指示燃料供給量ＩＱが演算(Ｓ７)され、この指示燃料供給量ＩＱに基づいて、制御装置(５)により燃料供給装置(４)から燃焼室(６)に燃料(７)が供給(Ｓ８)されるように構成された、エンジンの燃料供給装置において、
アクセル急加速操作(１９)中に、実回転数ＡＮと実アクセル開度ＭＡとに対応して予め定められた指示燃料噴射量ＩＱの演算マップまたは演算式に基づいて、制御装置(５)により、実回転数ＡＮと指示燃料噴射量ＩＱから演算アクセル開度ＢＡが逆算(Ｓ４３)され、実アクセル開度ＭＡが演算アクセル開度ＢＡ以下の場合には、実アクセル開度ＭＡのなまし処理が不実施(Ｓ６)とされる、ことを特徴とするエンジンの燃料供給装置。
【請求項２】
請求項１に記載されたエンジンの燃料供給装置において、
アクセル急加速操作(１９)中に、実アクセル開度ＭＡが演算アクセル開度ＢＡを超えると、実アクセル開度ＭＡのなまし処理が実施(Ｓ５)される、ことを特徴とするエンジンの燃料供給装置。
【請求項３】
請求項１または請求項２に記載されたエンジンの燃料供給装置において、
アクセル急減速操作(２０)中に、実回転数ＡＮと実アクセル開度ＭＡとに対応して予め定められた指示燃料噴射量ＩＱの演算マップまたは演算式に基づいて、制御装置(５)により、実回転数ＡＮと指示燃料噴射量ＩＱから演算アクセル開度ＢＡが逆算(Ｓ４７)され、実アクセル開度ＭＡが演算アクセル開度ＢＡ以上の場合には、実アクセル開度ＭＡのなまし処理が不実施(Ｓ６)とされる、ことを特徴とするエンジンの燃料供給装置。
【請求項４】
請求項３に記載されたエンジンの燃料供給装置において、
アクセル減速操作(２０)中に、実アクセル開度ＭＡが演算アクセル開度ＢＡ以下になると、実アクセル開度ＭＡのなまし処理が実施(Ｓ５)される、ことを特徴とするエンジンの燃料供給装置。
【請求項５】
回転数センサ(１)と、アクセル開度センサ(２)と、なまし処理装置(３)と、燃料供給装置(４)と、制御装置(５)とを備え、
アクセル開度センサ(２)で検出された実アクセル開度ＭＡの変化率ΔＭＡが制御装置(５)で演算(Ｓ３)され、この変化率ΔＭＡの値に応じて、制御装置(５)により実アクセル開度ＭＡの変化率ΔＭＡを小さくする、実アクセル開度ＭＡのなまし処理が実施(Ｓ５)されるとともに、実アクセル開度ＭＡのなまし処理が不実施(Ｓ６)とされ、
実アクセル開度ＭＡのなまし値ＭＡ´または実アクセル開度ＭＡそのままの値ＭＡと、回転数センサ(１)で検出された実回転数ＡＮとに基づいて、制御装置(５)により指示燃料供給量ＩＱが演算(Ｓ７)され、この指示燃料供給量ＩＱに基づいて、制御装置(５)により燃料供給装置(４)から燃焼室(６)に燃料(７)が供給(Ｓ８)されるように構成された、エンジンの燃料供給装置において、
アクセル急減速操作(２０)中に、実回転数ＡＮと実アクセル開度ＭＡとに対応して予め定められた指示燃料噴射量ＩＱの演算マップまたは演算式に基づいて、制御装置(５)により、実回転数ＡＮと指示燃料噴射量ＩＱから演算アクセル開度ＢＡが逆算(Ｓ４７)され、実アクセル開度ＭＡが演算アクセル開度ＢＡ以上の場合には、実アクセル開度ＭＡのなまし処理が不実施(Ｓ６)とされる、ことを特徴とするエンジンの燃料供給装置。
【請求項６】
請求項５に記載されたエンジンの燃料供給装置において、
アクセル急減速操作(２０)中に、実アクセル開度ＭＡが演算アクセル開度ＢＡ未満になると、実アクセル開度ＭＡのなまし処理が実施(Ｓ５)される、ことを特徴とするエンジンの燃料供給装置。
【発明の詳細な説明】
【技術分野】
【０００１】
本発明は、エンジンの燃料供給装置に関し、詳しくは、アクセル急加速操作時の加速遅れや、アクセル急減速操作時の減速遅れを防止することができるエンジンの燃料供給装置に関する。
【背景技術】
【０００２】
従来、エンジンの燃料供給装置として、回転数センサと、アクセル開度センサと、なまし処理装置と、燃料供給装置と、制御装置とを備え、燃料供給量のなまし処理を行うものがある(例えば、特許文献１参照)。
【０００３】
この種の燃料供給装置によれば、アクセル急加速操作時に燃料供給量の急激な増加で黒煙が発生する不具合や、アクセル急減速操作時に燃料供給量の急激な減少でエンストが発生する不具合を防止することができる利点がある。
【０００４】
従来の装置では、アクセル急加減速操作時には、常に燃料供給量やアクセル開度のなまし処理が行われ、燃料の急激な増減を抑制している。
例えば、図４に示すように、ステップ(Ｓ１)で実回転数ＡＮが読込まれ、ステップ(Ｓ２)で実アクセル開度ＭＡが読み込まれ、ステップ(Ｓ３)で実アクセル開度ＭＡの変化率ΔＭＡが演算され、ステップ(Ｓ４)で所定の基準変化率ΔＳに対し、実アクセル開度ＭＡの変化率ΔＭＡの絶対値｜ΔＭＡ｜がΔＳよりも大きいか否かが判定される。ステップ(Ｓ４)での判定が肯定された場合には、ステップ(Ｓ５)でアクセル開度ＭＡのなまし処理が実施され、判定が否定された場合には、ステップ(Ｓ６)でアクセル開度ＭＡのなまし処理が不実施とされる。ステップ(Ｓ５)(Ｓ６)の後は、ステップ(Ｓ７)で、実アクセル開度ＭＡのなまし値ＭＡ´または、実アクセル開度ＭＡそのままの値ＭＡと、実回転数ＡＮとに基づいて、指示燃料噴射量ＩＱが演算され、ステップ(Ｓ８)で指示燃料噴射量ＩＱに基づいて、燃焼室に燃料が供給される。
【先行技術文献】
【特許文献】
【０００５】
【特許文献１】特開平８−２９６４７５号公報(図１，図２参照)
【発明の概要】
【発明が解決しようとする課題】
【０００６】
《問題点１》  アクセル急加速操作時に加速遅れが生じることがある。
従来の装置では、図４に示すように、アクセル急加速操作(１９)時には、常に燃料噴射量やアクセル開度のなまし処理が実施(Ｓ５)されているが、図２(Ｂ)に示すように、アクセル急加速操作(１９)後、実回転数ＡＮが直ぐに増加せず、しばらくの間、減少するタイムラグ(１９ａ)が有り、加速遅れが生じることがある。
【０００７】
《問題点２》  アクセル急加速操作時に加速遅れが生じることがある。
従来の装置では、図４に示すように、アクセル急減速操作(２０)時には、常に燃料噴射量やアクセル開度のなまし処理が行われているが、図２(Ｂ)に示すように、アクセル急減速操作(２０)後、実回転数ＡＮが直ぐに減少せず、しばらくの間、増加するタイムラグ(２０ａ)が有り、減速遅れが生じることがある。
【０００８】
本発明の課題は、アクセル急加速操作時の加速遅れや、アクセル急減速操作時の減速遅れを防止することができるエンジンの燃料供給装置を提供することにある。
【０００９】
本発明の発明者らは、研究の結果、図３に示すように、アクセル急加速操作(１９)中に、実回転数ＡＮと実アクセル開度ＭＡとに対応して予め定められた指示燃料噴射量ＩＱの演算マップまたは演算式に基づいて、制御装置により、実回転数ＡＮと指示燃料噴射量ＩＱから演算アクセル開度ＢＡを逆算(Ｓ４３)し、実アクセル開度ＭＡが演算アクセル開度ＢＡ以下である場合にも、アクセル開度ＭＡのなまし処理を実施(Ｓ５)すると、指示燃料噴射量ＩＱの増量が遅れ、図２(Ｂ)に示すタイムラグ(１９ａ)が生じることを発見した。また、図３に示すように、アクセル急減速操作(２０)中に、実回転数ＡＮと実アクセル開度ＭＡとに対応して予め定められた指示燃料噴射量ＩＱの演算マップまたは演算式に基づいて、制御装置により、実回転数ＡＮと指示燃料噴射量ＩＱから演算アクセル開度ＢＡを逆算(Ｓ４７)し、実アクセル開度ＭＡが演算アクセル開度ＢＡ以上の場合にも、アクセル開度ＭＡのなまし処理を実施(Ｓ５)すると、指示燃料噴射量ＩＱの減量が遅れ、図２(Ｂ)に示すタイムラグ(２０ａ)が生じることを発見した。
このため、発明者らは、これら改善することで、アクセル急加速操作時の加速遅れや、アクセル急減速操作時の減速遅れを防止できるとの着想を得て、この発明に至った。
なお、演算アクセル開度ＢＡは、実回転数ＡＮと略等価であるため、図２(Ａ)中の実回転数ＡＮのグラフは、演算アクセル開度ＢＡのグラフとみなして、実アクセル開度ＭＡと対比している。以下の明細書及び、特許請求の範囲においても同様である。  
【課題を解決するための手段】
【００１０】
(請求項１と請求項５に係る発明に共通する発明特定事項)
請求項１と請求項５に係る発明に共通する発明特定事項は、次の通りである。
図１に例示するように、回転数センサ(１)と、アクセル開度センサ(２)と、なまし処理装置(３)と、燃料供給装置(４)と、制御装置(５)とを備え、
図３に例示するように、アクセル開度センサ(２)で検出された実アクセル開度ＭＡの変化率ΔＭＡが制御装置(５)で演算(Ｓ３)され、この変化率ΔＭＡの値に応じて、制御装置(５)により実アクセル開度ＭＡの変化率ΔＭＡを小さくする、実アクセル開度ＭＡのなまし処理が実施(Ｓ５)されるとともに、実アクセル開度ＭＡのなまし処理が不実施(Ｓ６)とされ、
図３に例示するように、実アクセル開度ＭＡのなまし値ＭＡ´または実アクセル開度ＭＡそのままの値ＭＡと、回転数センサ(１)で検出された実回転数ＡＮとに基づいて、制御装置(５)により指示燃料供給量ＩＱが演算(Ｓ７)され、この指示燃料供給量ＩＱに基づいて、制御装置(５)により燃料供給装置(４)から燃焼室(６)に燃料(７)が供給(Ｓ８)されるように構成された、エンジンの燃料供給装置。
【００１１】
(請求項１に係る発明に固有の発明特定事項)
請求項１に係る発明に固有の発明特定事項は、次の通りである。
図３に例示するように、アクセル急加速操作(１９)中に、実回転数ＡＮと実アクセル開度ＭＡとに対応して予め定められた指示燃料噴射量ＩＱの演算マップまたは演算式に基づいて、制御装置(５)により、実回転数ＡＮと指示燃料噴射量ＩＱから演算アクセル開度ＢＡが逆算(Ｓ４３)され、図２(Ａ)，図３に例示するように、実アクセル開度ＭＡが演算アクセル開度ＢＡ以下の場合には、実アクセル開度ＭＡのなまし処理が不実施(Ｓ６)とされる、ことを特徴とするエンジンの燃料供給装置。
【００１２】
(請求項５に係る発明に固有の発明特定事項)
請求項５に係る発明に固有の発明特定事項は、次の通りである。
図３に例示するように、アクセル急減速操作(２０)中に、実回転数ＡＮと実アクセル開度ＭＡとに対応して予め定められた指示燃料噴射量ＩＱの演算マップまたは演算式に基づいて、制御装置(５)により、実回転数ＡＮと指示燃料噴射量ＩＱから演算アクセル開度ＢＡが逆算(Ｓ４７)され、図２(Ａ)，図３に例示するように、実アクセル開度ＭＡが演算アクセル開度ＢＡ以上の場合には、実アクセル開度ＭＡのなまし処理が不実施(Ｓ６)とされる、ことを特徴とするエンジンの燃料供給装置。
【発明の効果】
【００１３】
(請求項１に係る発明)
請求項１に係る発明は、次の効果を奏する。
《効果１》  アクセル急加速操作時の加速遅れを防止することができる。
図３に例示するように、アクセル急加速操作(１９)中に、実回転数ＡＮと実アクセル開度ＭＡとに対応して予め定められた指示燃料噴射量ＩＱの演算マップまたは演算式に基づいて、制御装置(５)により、実回転数ＡＮと指示燃料噴射量ＩＱから演算アクセル開度ＢＡが逆算(Ｓ４３)され、図２(Ａ)，図３に例示するように、実アクセル開度ＭＡが演算アクセル開度ＢＡ以下の場合には、実アクセル開度ＭＡのなまし処理が不実施(Ｓ６)とされるので、図２(Ａ)に示すように、アクセル急加速操作(１９)時に実アクセル開度ＭＡにより指示燃料噴射量ＩＱが速やかに増量され、図２(Ｂ)に示すタイムラグ(１９ａ)が無く、アクセル急加速操作(１９)時の加速遅れを防止することができる。
【００１４】
(請求項２に係る発明)
請求項２に係る発明は、請求項１に係る発明の効果に加え、次の効果を奏する。
《効果２》  加速遅れ防止処理の後の黒煙発生を抑制することができる。
図２(Ａ)，図３に例示するように、アクセル急加速操作(１９)中に、実アクセル開度ＭＡが演算アクセル開度ＢＡを超えると、実アクセル開度ＭＡのなまし処理が実施(Ｓ５)されるので、加速遅れ防止処理後はなまし処理による緩やかな燃料増量が行われ、黒煙発生を抑制することができる。
【００１５】
(請求項３に係る発明)
請求項３に係る発明は、請求項１または請求項２に係る発明の効果に加え、次の効果を奏する。
《効果３》  アクセル急減速操作時の減速遅れを防止することができる。
図３に例示するように、アクセル急減速操作(２０)中に、実回転数ＡＮと実アクセル開度ＭＡとに対応して予め定められた指示燃料噴射量ＩＱの演算マップまたは演算式に基づいて、制御装置(５)により、実回転数ＡＮと指示燃料噴射量ＩＱから演算アクセル開度ＢＡが逆算(Ｓ４７)され、図２(Ａ)，図３に例示するように、実アクセル開度ＭＡが演算アクセル開度ＢＡ以上の場合には、実アクセル開度ＭＡのなまし処理が不実施(Ｓ６)とされるので、図２(Ａ)に示すように、アクセル急減速操作(２０)時に実アクセル開度ＭＡにより指示燃料噴射量ＩＱが速やかに減量され、図２(Ｂ)に示すタイムラグ(２０ａ)が実質的に無く、アクセル急減速操作(２０)時の減速遅れを防止することができる。
【００１６】
(請求項４に係る発明)
請求項４に係る発明は、請求項３に係る発明の効果に加え、次の効果を奏する。
《効果４》  減速遅れ防止処理後のエンスト発生を抑制することができる。
図２(Ａ)，図３に例示するように、アクセル減速操作(２０)中に、実アクセル開度ＭＡが演算アクセル開度ＢＡ未満になると、実アクセル開度ＭＡのなまし処理が実施(Ｓ５)されるので、減速遅れ防止処理の後は、なまし処理による緩やかな燃料減量が行われ、エンスト発生を抑制することができる。
【００１７】
(請求項５と請求項６に係る発明)
請求項５に係る発明は、請求項３の《効果３》と同一の効果を奏する。
請求項６に係る発明は、請求項５に係る発明の効果に加え、請求項４の《効果４》と同一の効果を奏する。
【図面の簡単な説明】
【００１８】
【図１】本発明の実施形態に係るエンジンの燃料供給装置の模式図を説明する図である。
【図２】図１の装置による制御を説明する図で、図２(Ａ)は図１の装置の制御のタイムチャート、図２(Ｂ)は比較例となる従来技術の制御のタイムチャートである。
【図３】図１の装置による制御のフローチャートである。
【図４】比較例となる従来技術の制御のフローチャートである。
【発明を実施するための形態】
【００１９】
図１〜図３は本発明の実施形態に係るエンジンの燃料供給装置を説明する図であり、この実施形態では、立形のコモンレール式直列４気筒ディーゼルエンジンについて説明する。
【００２０】
このエンジンの概要は、次の通りである。
図１に示すように、このエンジンは、４本のシリンダ(８)と、シリンダヘッド(９)とを備え、シリンダヘッド(９)の左右一側には吸気マニホルド(１０)が、他側には排気マニホルド(１１)が組み付けられている。シリンダ(８)を備えたシリンダブロック(図外)の後部にはフライホイール(１２)が配置されている。
シリンダヘッド(９)には、シリンダ(８)毎にインジェクタ(１３)が配置され、各インジェクタ(１３)はコモンレール(１４)に接続されている。コモンレール(１４)には、燃料サプライポンプ(１５)を介して燃料タンク(１６)の燃料(７)が圧送される。各インジェクタ(１３)の電磁弁は、制御装置(５)に接続され、制御装置(５)からの制御信号で、開弁タイミングと開弁期間が制御され、所定のタイミングで所定量の燃料(７)が燃焼室(６)に供給される。
制御装置(５)は、エンジンＥＣＵである。エンジンＥＣＵは、エンジン電子制御ユニットの略称であり、マイコンである。
吸気マニホルド(１０)に吸気を供給する吸気経路(１７)には吸気流量センサ(１８)が配置されている。
【００２１】
図１に例示するように、このエンジンの燃料供給装置は、回転数センサ(１)と、アクセル開度センサ(２)と、なまし処理装置(３)と、燃料供給装置(４)と、制御装置(５)とを備えている。
図３に示すように、アクセル開度センサ(２)で検出された実アクセル開度ＭＡの変化率ΔＭＡが制御装置(５)で演算(Ｓ３)され、この変化率ΔＭＡの値に応じて、制御装置(５)により実アクセル開度ＭＡの変化率ΔＭＡを小さくする、実アクセル開度ＭＡのなまし処理が実施(Ｓ５)されるとともに、実アクセル開度ＭＡのなまし処理が不実施(Ｓ６)とされている。
図３に示すように、実アクセル開度ＭＡのなまし値ＭＡ´または実アクセル開度ＭＡそのままの値ＭＡと、回転数センサ(１)で検出された実回転数ＡＮとに基づいて、制御装置(５)により指示燃料供給量ＩＱが演算(Ｓ７)され、この指示燃料供給量ＩＱに基づいて、制御装置(５)により燃料供給装置(４)から燃焼室(６)に燃料(７)が供給(Ｓ８)されるように構成されている。
なまし処理装置(３)は、制御装置(５)の演算処理部である。
【００２２】
図３に示すように、アクセル急加速操作(１９)中に、実回転数ＡＮと実アクセル開度ＭＡとに対応して予め定められた指示燃料噴射量ＩＱの演算マップまたは演算式に基づいて、制御装置(５)により、実回転数ＡＮと指示燃料噴射量ＩＱから演算アクセル開度ＢＡが逆算(Ｓ４３)され、図２(Ａ)，図３に示すように、実アクセル開度ＭＡが演算アクセル開度ＢＡ以下の場合には、実アクセル開度ＭＡのなまし処理が不実施(Ｓ６)とされる。
【００２３】
図２(Ａ)，図３に示すように、アクセル急加速操作(１９)中に、実アクセル開度ＭＡが演算アクセル開度ＢＡを超えると、実アクセル開度ＭＡのなまし処理が実施(Ｓ５)される。
【００２４】
図３に示すように、アクセル急減速操作(２０)中に、実回転数ＡＮと実アクセル開度ＭＡとに対応して予め定められた指示燃料噴射量ＩＱの演算マップまたは演算式に基づいて、制御装置(５)により、実回転数ＡＮと指示燃料噴射量ＩＱから演算アクセル開度ＢＡが逆算(Ｓ４７)され、図２(Ａ)，図３に示すように、実アクセル開度ＭＡが演算アクセル開度ＢＡ以上の場合には、実アクセル開度ＭＡのなまし処理が不実施(Ｓ６)とされる。
【００２５】
図３に示すように、アクセル減速操作(２０)中に、実アクセル開度ＭＡが演算アクセル開度ＢＡ未満になると、実アクセル開度ＭＡのなまし処理が実施(Ｓ５)される。
【００２６】
制御装置(５)による処理の流れは、次の通りである。
図３に示すように、ステップ(Ｓ１)で実回転数ＡＮが読込まれ、ステップ(Ｓ２)で実アクセル開度ＭＡが読み込まれ、ステップ(Ｓ３)で実アクセル開度ＭＡの変化率ΔＭＡが演算され、ステップ(Ｓ４１)で所定の正の値の基準変化率ΔＳＴ１よりも変化率ΔＭＡが大きいか否かが判定され、判定が肯定された場合(急加速操作１９中であることを意味する)には、ステップ(Ｓ４２)で指示燃料供給量ＩＱが読み込まれ、ステップ(Ｓ４３)で実回転数ＡＮと指示燃料供給量ＡＱから演算アクセル開度ＢＡが逆算され、ステップ(Ｓ４４)に移行する。
【００２７】
ステップ(Ｓ４４)では、実アクセル開度ＭＡが演算アクセル開度ＢＡ以下か否かが判定され、判定が否定された場合には、ステップ(Ｓ５)に移行し、実アクセル開度ＭＡのなまし処理が実施される。ステップ(Ｓ４４)での判定が肯定された場合には、ステップ(Ｓ６)に移行し、実アクセル開度ＭＡのなまし処理が不実施とされる。
ステップ(Ｓ５)とステップ(Ｓ６)の後は、ステップ(７)に移行し、実アクセル開度ＭＡのなまし値ＭＡ´または、実アクセル開度ＭＡそのままの値ＭＡと、実回転数ＡＮとに基づいて、指示燃料噴射量ＩＱが演算され、ステップ(Ｓ８)で指示燃料噴射量ＩＱに基づいて、燃焼室(６)に燃料が供給される。
【００２８】
ステップ(Ｓ４１)での判定が否定された場合には、ステップ(Ｓ４５)で所定の負の値の基準変化率ΔＳＴ２よりも変化率ΔＭＡが小さいか否かが判定され、判定が肯定された場合(急減速操作２０中であることを意味する)には、ステップ(４６)で指示燃料供給量ＩＱが読み込まれ、ステップ(Ｓ４７)で実回転数ＡＮと指示燃料供給量ＡＱから演算アクセル開度ＢＡが逆算され、ステップ(Ｓ４８)に移行する。
【００２９】
ステップ(Ｓ４８)では、実アクセル開度ＭＡが演算アクセル開度ＢＡ以上か否かが判定され、判定が否定された場合には、ステップ(Ｓ５)に移行し、実アクセル開度ＭＡのなまし処理が実施される。ステップ(Ｓ４８)での判定が肯定された場合には、ステップ(Ｓ６)に移行し、実アクセル開度ＭＡのなまし処理が不実施とされる。
【００３０】
図２(Ａ)に示すタイムチャートを左側から説明すると、アクセル急加速操作がなされると、実アクセル開度ＭＡが演算アクセル開度ＢＡよりも大きいため、なまし処理が実施(Ｓ５)され、その後、アクセル急減速操作(２０)がなされると、実アクセル開度ＭＡが演算アクセル開度ＢＡ以上の間はなまし処理が不実施(Ｓ６)とされ、実アクセル開度ＭＡが演算アクセル開度ＢＡ未満になると、なまし処理が実施(Ｓ５)される。この時、アクセル急減速操作(２０)により燃料減量が速やかに行われるため、アクセル急減速操作(２０)後、実回転数ＡＮは速やかに低下し、減速遅れの要因となるタイムラグ(２０ａ)は無く、減速遅れ防止処理後はなまし処理により燃料減量が緩やかに行われるため、エンストが抑制される。
【００３１】
次に、アクセル急加速操作がなされると、実アクセル開度ＭＡが演算アクセル開度ＢＡよりも大きいため、なまし処理が実施(Ｓ５)され、アクセル急減速操作がなされると、実アクセル開度ＭＡが演算アクセル開度ＢＡよりも小さいため、なまし処理が実施(Ｓ５)され、その後、アクセル急加速操作(１９)がなされると、実アクセル開度ＭＡが演算アクセル開度ＢＡ以下の間は、なまし処理が不実施(Ｓ６)とされ、実アクセル開度ＭＡが演算アクセル開度ＢＡを超えると、なまし処理が実施(Ｓ５)される。この時、アクセル急加速操作(１９)により燃料増量が速やかに行われるため、加速遅れの要因となるタイムラグ(１９ａ)が無く、加速遅れ防止処理後はなまし処理による燃料増量が緩やかに行われるため、黒煙発生が抑制される。
【符号の説明】
【００３２】
(１) 回転数センサ
(２) アクセル開度センサ
(３) なまし処理装置
(４) 燃料供給装置
(５) 制御装置
(６) 燃焼室
(７) 燃料
(１９) アクセル急加速操作
(２０) アクセル急減速操作
ＭＡ 実アクセル開度
ＭＡ´ＭＡのなまし値
ΔＭＡ ＭＡの変化率
ＡＮ 実回転数
ＩＱ 燃料供給量
ＢＡ 演算アクセル開度
(Ｓ３) ΔＭＡが演算
(Ｓ４３) 演算アクセル開度ＢＡが逆算
(Ｓ４７) 演算アクセル開度ＢＡが逆算
(Ｓ５) ＭＡのなまし処理が実施
(Ｓ６) ＭＡのなまし処理が不実施
(Ｓ７) ＩＱが演算
(Ｓ８) 燃料が供給
【図１】
2015200245.tif 000003
【図２】
2015200245.tif 000004
【図３】
2015200245.tif 000005
【図４】
2015200245.tif 000006